【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
人体に装着することにより前記人体の一部を保護可能な本体部を備えた保護物品と、当該保護物品に設けられた情報源の特定情報を画像認識可能な情報処理装置とを含む情報処理システムであって、
前記保護物品は、前記本体部において、情報処理装置により画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成され、
前記情報処理装置は、前記特定情報を含む画像を取得可能な画像取得部と、前記画像取得部で取得された前記特定情報を含む画像を表示可能な画像表示部と、識別情報を用いて前記画像取得部で取得された画像中の前記特定情報を認識可能な特定情報認識部と、前記特定情報認識部で前記特定情報が認識されたときに前記特定情報が前記画像表示部に表示されていることを条件として前記特定情報に対応する付加情報を前記画像表示部に表示可能な付加情報表示部と、を備え、
前記特定情報は、キャラクターを表す２次元像の輪郭を有している、
情報処理システム。
【請求項２】
前記第１形態は、平坦な形態であり、
前記第２形態は、湾曲した形態である、
請求項１に記載の情報処理システム。
【請求項３】
前記湾曲した形態は、表面が凹凸を成す形態である、
請求項２に記載の情報処理システム。
【請求項４】
前記凹凸は、前記人体の一部の形状に応じた凹凸である、
請求項３に記載の情報処理システム。
【請求項５】
前記本体部は、伸縮可能であり、
前記情報源は、前記本体部が縮んだ状態と伸びた状態のいずれにある場合でも前記特定情報を画像認識可能に構成されている、
請求項１〜４のいずれか１項に記載の情報処理システム。
【請求項６】
前記情報源は、２種以上の特定情報を持つ、
請求項１〜５のいずれか１項に記載の情報処理システム。
【請求項７】
前記特定情報は、文字、及び記号の少なくとも何れかを含んでいる、
請求項１〜６のいずれか１項に記載の情報処理システム。
【請求項８】
前記保護物品は、絆創膏であり、
前記第２面には、粘着部が設けられている、
請求項１〜７のいずれか１項に記載の情報処理システム。
【請求項９】
前記保護物品は、マスクであり、
前記本体部には、１対の耳かけ部が設けられている、
請求項１〜７のいずれか１項に記載の情報処理システム。
【請求項１０】
前記付加情報表示部は、前記本体部により前記人体の一部が保護されていることを条件として前記特定情報に対応する付加情報を前記画像表示部に表示可能に構成されている、
請求項１〜９のいずれか１項に記載の情報処理装置。
【請求項１１】
前記付加情報表示部は、前記画像表示部に表示されている前記特定情報を含む画像中の前記特定情報を避けた位置に前記付加情報を表示可能に構成されている、
請求項１〜１０のいずれか１項に記載の情報処理システム。
【請求項１２】
前記特定情報認識部は、前記画像取得部で取得された前記特定情報を含む画像中の前記特定情報の向きを併せて認識可能であり、
前記付加情報表示部は、前記特定情報認識部で認識された前記特定情報の向きに応じて前記付加情報の表示向きを変化可能に構成されている、
請求項１〜１１のいずれか１項に記載の情報処理システム。
【請求項１３】
前記付加情報表示部は、前記特定情報認識部で２種以上の特定情報が認識されたときに前記２種以上の特定情報が前記画像表示部に表示されていることを条件として、前記２種以上の特定情報それぞれに対応する２種以上の付加情報を前記画像表示部に表示可能に構成されている、
請求項１〜１２のいずれか１項に記載の情報処理システム。
【請求項１４】
前記付加情報は、前記特定情報に対応する付加画像、及び付加文字列の少なくとも何れかである、
請求項１〜１３のいずれか１項に記載の情報処理システム。
【請求項１５】
前記特定情報認識部で前記特定情報が認識されたときに前記特定情報に対応する付加音声を出力可能な音声出力部をさらに備える、
請求項１〜１４のいずれか１項に記載の情報処理システム。
【請求項１６】
前記特定情報認識部における前記特定情報の認識は、テンプレートマッチングによるものである、
請求項１〜１５のいずれか１項に記載の情報処理システム。
【請求項１７】
さらに、請求項１〜１６に記載の情報処理装置と通信可能なサーバー装置とを備え、
前記情報処理装置は、
前記サーバー装置と通信を行うための送受信部と、
前記特定情報認識部が前記特定情報の認識を行うのに必要な前記識別情報と、前記付加情報表示部が前記画像表示部に表示可能な前記付加情報とを、前記送受信部から前記サーバー装置に要求する情報要求部とを備え、
前記サーバー装置は、
前記情報処理装置と通信を行うための送受信部と、
前記情報処理装置の前記情報要求部からの要求に基づいて前記送受信部から前記情報処理装置に前記識別情報および前記付加情報を提供する情報提供部とを備える、
情報処理システム。
【請求項１８】
前記サーバー装置から前記情報処理装置に提供される前記識別情報および前記付加情報は、前記識別情報と前記付加情報とが対応付けられたデータファイルである、
請求項１７に記載の情報処理システム。
【請求項１９】
前記情報処理装置は、
前記情報処理装置に記憶されている前記識別情報を用いても前記画像取得部で取得された前記特定情報を含む画像中の前記特定情報を認識できないときに、最新の前記識別情報および前記付加情報を前記送受信部から前記サーバー装置に要求する情報更新部をさらに備える、
請求項１７または１８に記載の情報処理システム。
【請求項２０】
前記情報処理装置は、
前記情報処理装置に記憶されている前記識別情報および前記付加情報のうち期限切れのものを削除する情報削除部をさらに備える、
請求項１７〜１９のいずれか１項に記載の情報処理システム。
【手続補正２】
【補正対象書類名】明細書
【補正対象項目名】０００５
【補正方法】変更
【補正の内容】
【０００５】
本発明に係る情報処理システムは、人体に装着することにより前記人体の一部を保護可能な本体部を備えた保護物品と、当該保護物品に設けられた情報源の特定情報を画像認識可能な情報処理装置とを含む情報処理システムであって、前記保護物品は、前記本体部において、情報処理装置により画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成され、前記情報処理装置は、前記特定情報を含む画像を取得可能な画像取得部と、前記画像取得部で取得された前記特定情報を含む画像を表示可能な画像表示部と、識別情報を用いて前記画像取得部で取得された画像中の前記特定情報を認識可能な特定情報認識部と、前記特定情報認識部で前記特定情報が認識されたときに前記特定情報が前記画像表示部に表示されていることを条件として前記特定情報に対応する付加情報を前記画像表示部に表示可能な付加情報表示部と、を備え、前記特定情報は、キャラクターを表す２次元像の輪郭を有している。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】